(57)【要約】【課題】ＨＤ  ＤＶＤのビデオストリームを容易にランダム再生することができる動画再生装置、動画再生方法およびプログラムを提供する。【解決手段】ＨＤ  ＤＶＤのビデオストリームを再生する場合、ＣＰＵ１２によって、ＳＰＳ付きＩピクチャを最初に検出したときは、デコーダの初期化を行い、デコーダ１５によってデコード処理を行う。【選択図】      図２
2007318615.tif 000002
【特許請求の範囲】
【請求項１】
ビデオストリームを再生する再生手段と、
前記再生手段によって、前記ビデオストリームを再生する場合、ＳＰＳ情報に続くＩピクチャを最初に検出したときは、デコーダの初期化を行う初期化手段と、
前記初期化手段によって、前記デコーダの初期化が行われた後に、前記ビデオストリームのデコードを前記デコーダによって行うデコード手段と、
を具備することを特徴とする動画再生装置。
【請求項２】
請求項１に記載の動画再生装置において、
前記ビデオストリームは、デコーダの状態を初期化することを示す属性を含んでおり、前記ビデオストリームを再生する場合、最初に出現する前記ＳＰＳ情報に続くＩピクチャ及び前記デコーダの状態を初期化することを示す属性の一方を検出したときは、前記デコーダの初期化を行い、前記前記ビデオストリームのデコードを行うことを特徴とする動画再生装置。
【請求項３】
請求項１に記載の動画再生装置において、
前記デコーダの初期化は、参照ピクチャバッファの初期化を行うことを特徴とする動画再生装置。
【請求項４】
請求項１に記載の動画再生装置において、
前記デコーダの状態を初期化することを示す属性は、ＩＤＲピクチャであることを特徴とする動画再生装置。
【請求項５】
請求項２に記載の動画再生装置において、
前記デコーダの状態を初期化することを示す属性は、ＩＤＲピクチャであることを特徴とする動画再生装置。
【請求項６】
ビデオストリームを再生する再生ステップと、
前記再生ステップによって、前記ビデオストリームを再生する場合、ＳＰＳ情報に続くＩピクチャを最初に検出したときは、デコーダの初期化を行う初期化ステップと、
前記初期化ステップによって、前記デコーダの初期化が行われた後に、前記ビデオストリームのデコードを前記デコーダによって行うデコードステップと、
を有することを特徴とする動画再生方法。
【請求項７】
請求項６に記載の動画再生方法において、
前記ビデオストリームは、デコーダの状態を初期化することを示す属性を含んでおり、前記ビデオストリームを再生する場合、最初に出現する前記ＳＰＳ情報に続くＩピクチャ及び前記デコーダの状態を初期化することを示す属性の一方を検出したときは、前記デコーダの初期化を行い、前記前記ビデオストリームのデコードを行うことを特徴とする動画再生方法。
【請求項８】
請求項６に記載の動画再生方法において、
前記デコーダの初期化は、参照ピクチャバッファの初期化を行うことを特徴とする動画再生方法。
【請求項９】
請求項６記載の動画再生方法において、
前記デコーダの状態を初期化することを示す属性は、ＩＤＲピクチャであることを特徴とする動画再生方法。
【請求項１０】
請求項７に記載の動画再生方法において、
前記デコーダの状態を初期化することを示す属性は、ＩＤＲピクチャであることを特徴とする動画再生方法。
【請求項１１】
コンピュータに、
ビデオストリームを再生する再生手順と、
前記再生手順によって、前記ビデオストリームを再生する場合、ＳＰＳ情報に続くＩピクチャを最初に検出したときは、デコーダの初期化を行う初期化手順と、
前記初期化手順によって、前記デコーダの初期化が行われた後に、前記ビデオストリームのデコードを前記デコーダによって行うデコード手順と、
を実行させるためのプログラム。
【発明の詳細な説明】
【技術分野】
【０００１】
本発明は、Ｈ．２４６の動画再生技術に係り、特にストリームの途中から再生を開始することができる動画再生装置、動画再生方法およびプログラムに関する。
【背景技術】
【０００２】
ＨＤ  ＤＶＤ（High Definition DVD）で用いられているＨ．２６４形式のビデオストリームでは、デコーダの初期化を行うためのＩＤＲピクチャ（デコーダの状態を初期化することを示す属性）が、規格上、少なくともＨＤ  ＤＶＤディスクの開始時に一箇所、挿入することとなっている。ビデオストリームの再生を行うには、このＩＲＤピクチャに基づいて、デコーダの初期化を行う必要がある。しかし、ＨＤ  ＤＶＤディスクの最初から再生する場合以外の特殊再生、例えば、ビデオストリームの途中から再生する場合は、ＩＤＲピクチャが存在していない場合があり、再生できないことがある。これに対応するために、例えば特開２００５−３４８３１４号公報に開示されているように、ＩＲＤピクチャと再生時間情報とを対応づけたマップを作成し、このマップを参照することにより、ビデオストリームのランダムアクセスを可能にする技術が開示されている（特許文献１参照）。
【特許文献１】特開２００５−３４８３１４号公報
【発明の開示】
【発明が解決しようとする課題】
【０００３】
しかし、上述した技術では、ＨＤ  ＤＶＤを再生する毎に、ＩＲＤピクチャと再生時間情報とを対応づけたマップを作成する必要があり、煩雑な処理と時間が必要になる。
【０００４】
本発明の目的は、ＨＤ  ＤＶＤのビデオストリームを容易にランダム再生することができる動画再生装置、動画再生方法およびプログラムを提供することである。
【課題を解決するための手段】
【０００５】
上記目的を達成するために、本発明に係る動画再生装置は、ビデオストリームを再生する再生手段と、前記再生手段によって、前記ビデオストリームを再生する場合、ＳＰＳ情報に続くＩピクチャを最初に検出したときは、デコーダの初期化を行う初期化手段と、前記初期化手段によって、前記デコーダの初期化が行われた後に、前記ビデオストリームのデコードを前記デコーダによって行うデコード手段とを具備することを特徴としている。
【０００６】
また、本発明に係る動画再生方法は、ビデオストリームを再生する再生ステップと、前記再生ステップによって、前記ビデオストリームを再生する場合、ＳＰＳ情報に続くＩピクチャを最初に検出したときは、デコーダの初期化を行う初期化ステップと、前記初期化ステップによって、前記デコーダの初期化が行われた後に、前記ビデオストリームのデコードを前記デコーダによって行うデコードステップとを有することを特徴としている。
【０００７】
また、本発明に係るプログラムは、コンピュータに、ビデオストリームを再生する再生手順と、前記再生手順によって、前記ビデオストリームを再生する場合、ＳＰＳ情報に続くＩピクチャを最初に検出したときは、デコーダの初期化を行う初期化手順と、前記初期化手順によって、前記デコーダの初期化が行われた後に、前記ビデオストリームのデコードを前記デコーダによって行うデコード手順とを実行させることを特徴とする。
【発明の効果】
【０００８】
本発明を用いることにより、ＨＤ  ＤＶＤのビデオストリームを容易にランダム再生することができる動画再生装置、動画再生方法およびプログラムを提供することができる。
【発明を実施するための最良の形態】
【０００９】
以下図面を参照して、本発明の実施形態について説明する。
【００１０】
図１には、本発明の一実施形態に係る動画再生装置および、当該動画再生装置に接続された表示装置であるモニタ１０の模式図が示されている。当該動画再生装置は、例えば、ＨＤ  ＤＶＤ方式のプレーヤ１１として実現されている。なお、本発明は、ＨＤ  ＤＶＤ等のＨ．２６４／ＡＶＣ規格のビデオストリームを再生する場合、ビデオストリームの途中から再生を行う等の特殊再生を可能にする技術である。
【００１１】
図２は、本発明の一実施形態に係る動画再生装置の要部構成を示すブロック図である。
【００１２】
プレーヤ１１は、ＣＰＵ（Central Processing Unit）１２、メモリ１３、ＨＤ  ＤＶＤドライブ等の光学ドライブ１４、Ｈ．２６４／ＡＶＣ等のビデオストリームのデコーダ１５、モニタ１０に出力するビデオストリームの制御を行うディスプレイコントローラ１６、プレーヤ１１の再生、早送り等の操作を行う操作パネル１７等から構成されている。
【００１３】
ＣＰＵ１２は、本プレーヤ１１の動作を制御するプロセッサであり、メモリ１３にロードされる各種プログラム（オペレーティングシステム、動画再生アプリケーションプログラム）を実行する。
【００１４】
デコーダ１５は、例えば動画再生アプリケーションプログラムであり、圧縮符号化された動画像データをデコードおよび再生するためのソフトウェアである。この動画再生アプリケーションプログラムは、Ｈ．２６４／ＡＶＣ規格に対応するソフトウェアデコーダである。動画再生アプリケーションプログラムは、Ｈ．２６４／ＡＶＣ規格で定義された符号化方式で圧縮符号化されている動画像ストリーム（例えば、光ディスクドライブから読み出されるＨＤ（High Definition）規格のビデオコンテンツ、など）をデコードするための機能を有している。
【００１５】
次に、図３を参照して、動画再生アプリケーションプログラムによって実現されるソフトウェアデコーダの機能構成を説明する。
【００１６】
動画再生アプリケーションプログラムは、Ｈ．２６４／ＡＶＣ規格に対応しており、図示のように、エントロピー復号部３０１、逆量子化部３０２、逆ＤＣＴ部（DCT：Discrete Cosine Transform）３０３、加算部３０４、デブロッキングフィルタ部３０５、フレームメモリ３０６、動きベクトル予測部３０７、補間予測部３０８、重み付き予測部３０９、イントラ予測部３１０、およびモード切替スイッチ部３１１を含む。Ｈ．２６４の直交変換は整数精度であり、従来のＤＣＴとは異なるが、ここではＤＣＴと称することとする。
【００１７】
各画面（ピクチャ）の符号化は、たとえば１６ｘ１６画素のマクロブロック単位で実行される。各マクロブロックごとに、フレーム内符号化モード（イントラ符号化モード）および動き補償フレーム間予測符号化モード（インター符号化モード）のいずれか一方が選択される。
【００１８】
動き補償フレーム間予測符号化モードにおいては、既に符号化された画面（ピクチャ）からの動きを推定することによって、符号化対象画面に対応する動き補償フレーム間予測信号が定められた形状単位で生成される。そして、符号化対象画面（ピクチャ）から動き補償フレーム間予測信号を引いた予測誤差信号が、直交変換（ＤＣＴ）、量子化、およびエントロピー符号化によって、符号化される。また、イントラ符号化モードにおいては、符号化対象画面（ピクチャ）から予測信号が生成され、その予測信号が直交変換（ＤＣＴ）、量子化、およびエントロピー符号化によって、符号化される。
【００１９】
Ｈ．２６４／ＡＶＣ規格に対応するコーデックは、さらに圧縮率を高めるために、
（１）従来のＭＰＥＧよりも高い画素精度（１／４画素精度）の動き補償
（２）フレーム内符号化を効率的に行うためのフレーム内予測
（３）ブロック歪みを低減するためのデブロッキングフィルタ
（４）４ｘ４画素単位の整数ＤＣＴ
（５）任意の位置の複数の画面（ピクチャ）を参照画面として使用可能なマルチリファレンスフレーム
（６）重み付け予測
等の技術を利用する。
【００２０】
以下、図３のソフトウェアデコーダの動作を説明する。
【００２１】
Ｈ．２６４／ＡＶＣ規格にしたがって圧縮符号化された動画像ストリームは、まず、エントロピー復号部３０１に入力される。圧縮符号化された動画像ストリームには、符号化された画像情報の他に、動き補償フレーム間予測符号化（インター予測符号化）で用いられた動きベクトル情報、フレーム内予測符号化（イントラ予測符号化）で用いられたフレーム内予測情報、予測モード（インター予測符号化／イントラ予測符号化）を示すモード情報等が含まれている。
【００２２】
デコード処理は、例えば１６ｘ１６画素のマクロブロック単位で実行される。エントロピー復号部３０１は動画像ストリームに対して可変長復号のようなエントロピー復号処理を施して、動画像ストリームから、量子化ＤＣＴ係数、動きベクトル情報（動きベクトル差分情報）、フレーム内予測情報、およびモード情報を分離する。この場合、例えば、デコード対象画面（ピクチャ）内の各マクロブロックは４ｘ４画素（または８ｘ８画素）のブロック毎にエントロピー復号処理され、各ブロックは４ｘ４（または８ｘ８画素）の量子化ＤＣＴ係数に変換される。以下では、各ブロックが４ｘ４である場合を想定する。動きベクトル情報は、動きベクトル予測部３０７に送られる。フレーム内予測情報は、イントラ予測部３１０に送られる。モード情報はモード切替スイッチ部３１１に送られる。
【００２３】
各デコード対象ブロックの４ｘ４の量子化ＤＣＴ係数は、逆量子化部３０２による逆量子化処理により４ｘ４のＤＣＴ係数（直交変換係数）に変換される。この４ｘ４のＤＣＴ係数は、逆ＤＣＴ部３０３による逆整数ＤＣＴ（逆直交変換）処理によって、周波数情報から、４ｘ４の画素値に変換される。この４ｘ４の画素値は、デコード対象ブロックに対応する予測誤差信号である。この予測誤差信号は加算部３０４に送られ、そこでデコード対象ブロックに対応する予測信号（動き補償フレーム間予測信号またはフレーム内予測信号）が加算され、これによってデコード対象ブロックに対応する４ｘ４の画素値がデコードされる。
【００２４】
イントラ予測モードにおいては、モード切替スイッチ部３１１によってイントラ予測部３１０が選択され、これによってイントラ予測部３１０からのフレーム内予測信号が予測誤差信号に加算される。インター予測モードにおいては、モード切替スイッチ部３１１によって重み付き予測部３０９が選択され、これによって、動きベクトル予測部３０７、補間予測部３０８、および重み付き予測部３０９によって得られる動き補償フレーム間予測信号が予測誤差信号に加算される。
【００２５】
このように、デコード対象画面に対応する予測誤差信号に予測信号（動き補償フレーム間予測信号またはフレーム内予測信号）を加算してデコード対象画面をデコードする処理が所定のブロック単位で実行される。
【００２６】
デコードされた各画面（ピクチャ）は、デブロッキングフィルタ部３０５によってデブロッキングフィルタ処理が施された後に、フレームメモリ３０６に格納される。このデブロッキングフィルタ部３０５は、例えば４ｘ４画素のブロック単位で、デコードされた各画面に対してブロックノイズを低減するためのデブロッキングフィルタ処理を施す。このデブロッキングフィルタ処理は、ブロック歪みが参照画像に含まれてしまい、これによってブロック歪みが復号画像に伝搬してしまうことを防止する。デブロッキングフィルタ処理のための処理量は膨大であり、ソフトウェアデコーダの全処理量の５０パーセントを占める場合もある。デブロッキングフィルタ処理は、ブロック歪みが生じやすい箇所に対してはより強いフィリタリングが施され、ブロック歪みが生じにくい箇所に対しては弱いフィリタリングが施されるように、適応的に実行される。デブロッキングフィルタ処理はループフィルタ処理によって実現されている。
【００２７】
そして、デブロッキングフィルタ処理された各画面は、フレームメモリ３０６から出力画像フレーム（または出力画像フィールド）として読み出される。また、動き補償フレーム間予測のための参照画像として使用されるべき各画面（参照画面）は、フレームメモリ３０６内に一定期間保持される。Ｈ．２６４／ＡＶＣ規格の動き補償フレーム間予測符号化においては、複数の画面を参照画面として使用することができる。このため、フレームメモリ３０６は、複数画面分の画像を記憶するための複数個のフレームメモリ部を備えている。
【００２８】
動きベクトル予測部３０７は、デコード対象ブロックに対応する動きベクトル差分情報に基づいて、動きベクトル情報を生成する。補間予測部３０８は、デコード対象ブロックに対応する動きベクトル情報に基づいて、参照画面内の、整数精度の画素群および１／４画素精度の予測補間画素群から、動き補償フレーム間予測信号を生成する。１／４画素精度の予測補間画素の生成においては、まず、６タップフィルタ（入力６つ、出力１つ）を用いて１／２画像を生成し、続いて２タップフィルタを用いることにより実現される。このため、高周波成分まで考慮した高精度の予測補間処理を実行できるが、その分、動き補償には多くの処理量が必要となる。
【００２９】
重み付け予測部３０９は、動き補償フレーム間予測信号に対して重み係数を乗じる処理を動き補償ブロック単位で実行することにより、重み付けされた動き補償フレーム間予測信号を生成する。この重み付け予測は、デコード対象画面の明るさを予測する処理である。この重み付け予測処理により、フェード・イン、フェード・アウトのように、明るさが時間の経過と共に変化する画像の画質を向上することができる。しかし、その分、ソフトウェアデコードに必要な処理量は増大する。
【００３０】
イントラ予測部３１０は、デコード対象画面からその画面内に含まれるデコード対象ブロックのフレーム内予測信号を生成するものである。このイントラ予測部３１０は、上述のフレーム内予測情報に従って画面内予測処理を実行して、デコード対象ブロックと同一画面内に存在する、当該デコード対象ブロックに近接する既にデコードされた他のブロック内の画素値からフレーム内予測信号を生成する。このフレーム内予測（イントラ予測）は、ブロック間の画素相関を利用して圧縮率を高める技術である。このフレーム内予測においては、例えば１６ｘ１６画素の場合、フレーム内予測情報に従って、垂直予測（予測モード０）、水平予測（予測モード１）、平均値予測（予測モード２）、平面予測（予測モード３）を含む４種類の予測モードの内の一つが、フレーム内予測ブロック単位で選択される。平面予測が選択される頻度は他のフレーム内予測モードよりも低いが、平面予測のために必要とされる処理量は、他のどのフレーム内予測モードの処理量よりも多い。
【００３１】
次に図４を参照してＨＤ  ＤＶＤで用いられているＨ．２６４／ＡＶＣ規格のビデオストリームのデータ構造について説明する。
【００３２】
ＨＤ  ＤＶＤで用いられているＨ．２６４／ＡＶＣ規格のビデオストリームは、複数のＥＶＯＢから構成されている。またＨＤ  ＤＶＤの規格上、ＥＶＯＢ内の最初のピクチャは、ＩＤＲ（Instantaneous Decoding Refresh）ピクチャである。なお、ＩＤＲピクチャは、ＨＤ  ＤＶＤで用いられているＨ．２６４／ＡＶＣ規格上、ＨＤ  ＤＶＤディスクに１箇所のみ存在するという場合もある。ＨＤ  ＤＶＤディスクに記録されているビデオストリームを再生する場合には、まず、このＩＤＲピクチャを読み込んでデコーダを初期化する必要がある。そしてＥＶＯＢは、複数のＥＶＯＢＵから構成されており、ＥＶＯＢＵは、また複数のＧＯＶＵから構成されている。
【００３３】
図５は、ＧＯＶＵのデータ構造について示した模式図である。すべてのＧＯＶＵにＳＰＳ（Sequence Parameter Set）付きＩピクチャ（図５では、Picture which contains only I slice：すべてＩスライスから構成されているＩピクチャ）が含まれている。ＳＰＳとは、シーケンス全体の符号化に係わる情報等が含まれたヘッダである。Ｉピクチャとは、画面内（イントラ）の独立符号化によって得られるピクチャ（画面）である。
【００３４】
またＧＯＶＵには、その他に、Access Unit Delimiterと呼ばれるアクセスユニットに含まれるスライスの種類等を示す情報、ＳＥＩ（Supplemental Enhancement Information：補足的な不可情報）、ＰＰＳ（Picture Parameter Set）と呼ばれるピクチャ全体の符号化モードを示す情報等が含まれる。なお、ＨＤ  ＤＶＤディスクに記録されているビデオストリームを再生する場合には、まず、ＩＤＲピクチャを読み込んでデコーダを初期化する必要がある。しかし、最初のＥＶＯＢにしかＩＤＲピクチャがない場合等のために、上述したすべてのＧＯＶＵに付与されているＳＰＳ付きＩピクチャを最初に検出すると、この最初に検出したＳＰＳ付きＩピクチャをＩＤＲピクチャと見なしてデコーダを初期化する。これにより、ＨＤ  ＤＶＤディスクの最初にしかＩＤＲピクチャがない場合等の特殊再生にも対応できる。
【００３５】
次に、本発明の動画再生装置を適用した動画再生方法を説明する。図６は、本発明の動画再生装置を適用した動画再生方法の流れを示したフローチャートである。
【００３６】
プレーヤ１１のＣＰＵ１２は、ビデオストリームの再生が開始されると、最初に出現するＳＰＳ付きＩピクチャを検出するか否かを監視している（ステップＳ１０１）。ステップＳ１０１で、最初に出現するＳＰＳ付きＩピクチャを検出した場合は（ステップＳ１０１のＹｅｓ）、最初に出現するＳＰＳ付きＩピクチャをＩＤＲピクチャとみなす（ステップＳ１０２）。すなわち、最初に出現するＳＰＳ付きＩピクチャを検出すると、ＩＤＲピクチャを検出したものとして扱う。続いてＩＤＲピクチャの検出を判別する（ステップＳ１０３）。ステップＳ１０２で、最初に出現するＳＰＳ付きＩピクチャを検出すると（ステップＳ１０３のＹＥＳ）、ＩＤＲピクチャを検出したものとして扱うので、ステップＳ１０４に遷移する。ステップＳ１０４では、検出した最初のＳＰＳ付きＩピクチャに基づいて、参照ピクチャバッファのみ初期化し、デコーダの初期化を行う。
【００３７】
続いて、デコーダが初期化済みか否かを判別する（ステップＳ１０５）。ステップＳ１０４を経た場合にはデコーダの初期化を行っているので（ステップＳ１０５のＹＥＳ）、ステップＳ１０６に遷移し、ビデオストリームのデコード処理を行う（ステップＳ１０６）。
【００３８】
一方、ステップＳ１０１で、最初に出現するＳＰＳ付きＩピクチャを検出しなかった場合は（ステップＳ１０１のＮｏ）、ステップＳ１０３に遷移する。ステップＳ１０３でＩＤＲピクチャを検出した場合は（ステップＳ１０３のＹｅｓ）、ステップＳ１０４に遷移し、従来のＩＤＲピクチャを検出した場合と同様に、以後、従来通りのデコーダ初期化（ステップＳ１０４）、デコード処理（ステップＳ１０６）を行う。なお、ステップＳ１０２の処理を行わないでＩＤＲピクチャを検出した場合は（ステップＳ１０１のＮｏ、かつ、ステップＳ１０３のＹｅｓ）、参照ピクチャバッファ、フレーム番号、ピクチャの出力順序の情報等を初期化する。
【００３９】
一方、ステップＳ１０３でＩＤＲピクチャを検出しなかった場合は（ステップＳ１０３のＮｏ）、ステップＳ１０５に遷移し、デコーダの初期化を行っていないので（ステップＳ１０５のＮｏ）、デコード処理を行わずに本処理が終了する。
【００４０】
また、上述した実施形態の変形例としては、最初に出現するＳＰＳ付きＩピクチャ及びＩＤＲピクチャの一方を検出したときに、デコーダの初期化を行い、デコード処理を行うようにしてもよい。
【００４１】
以上、詳述したように、従来からのＩＤＲピクチャを検出できた場合に加え、ＩＤＲピクチャを検出できなかった場合にも、すべてのＧＯＶＵに付与されているＳＰＳ付きＩピクチャを最初に検出した場合に、ＩＤＲピクチャを検出したものとすることにより、ビデオストリームのランダム再生を容易に行うことができる。
【００４２】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４３】
【図１】本発明の一実施形態に係る動画再生装置および、当該動画再生装置に接続された表示装置であるモニタの模式図。
【図２】本発明の一実施形態に係る動画再生装置の要部構成を示すブロック図。
【図３】動画再生アプリケーションプログラムによって実現されるソフトウェアデコーダの機能構成を示した模式図。
【図４】ＨＤ  ＤＶＤで用いられているＨ．２６４／ＡＶＣ規格のビデオストリームのデータ構造について説明した模式図。
【図５】ＧＯＶＵのデータ構造について示した模式図。
【図６】本発明の動画再生装置を適用した動画再生方法の流れを示したフローチャート。
【符号の説明】
【００４４】
１０…モニタ、１１…プレーヤ、１２…ＣＰＵ、１３．ＨＤ  ＤＶＤ…メモリ、１３…メモリ、１４．Ｈ…光学ドライブ、１５…デコーダ、１６…ディスプレイコントローラ、１７…操作パネル、２０…ＣＰＵ、３０１…エントロピー復号部、３０２…逆量子化部、３０３…ＤＣＴ部、３０４…加算部、３０５…デブロッキングフィルタ部、３０６…フレームメモリ、３０７…動きベクトル予測部、３０８…補間予測部、３０９…予測部、３１０…イントラ予測部、３１１…モード切替スイッチ部。
【図１】
2007318615.tif 000003
【図２】
2007318615.tif 000004
【図３】
2007318615.tif 000005
【図４】
2007318615.tif 000006
【図５】
2007318615.tif 000007
【図６】
2007318615.tif 000008